【事件の表示】
　特許第３１１５０３３号に関する訂正審判事件について、次のとおり審決する。
【結　論】
　特許第３１１５０３３号に係る明細書及び図面を本件審判請求書に添付された訂正明細書及び図面のとおり訂正することを認める。
【理　由】
１　請求の要旨
　本件審判の請求の要旨は、特許第３１１５０３３号発明（平成３年８月２日特許出願、平成１２年９月２９日設定登録）の明細書を審判請求書に添付した訂正明細書のとおり、すなわち、下記（１）ないし（７）のとおり訂正することを求めるものである。
　
（１）明細書の特許請求の範囲の請求項１を削除する。
（２）明細書の特許請求の範囲の請求項５を削除する。
（３）明細書の特許請求の範囲の請求項２、すなわち
「【請求項２】前記画像データ選択部は、ディスプレイ装置に表示されている画像に係る画像データに対し、その画像データが属するスタディ内における前あるいは後の順位の画像データを選択する第１の選択手段を備えることを特徴とする請求項１に記載のデータ探索装置。」を、
「【請求項１】データベースに格納された
医療用の
、を備え、
　
前記画像データ選択部は、ディスプレイ装置に表示されている画像に係る画像データに対し、その画像データが属するスタディ内における前あるいは後の順位の画像データを選択する第１の選択手段を備えることを特徴とするデータ探索装置。
（４）明細書の特許請求の範囲の請求項３、すなわち
「【請求項３】前記画像データ選択部は、ディスプレイ装置に表示されている画像に係る画像データが属するスタディに対して、前あるいは後の順位のスタディ内の任意の画像データを選択する第２の選択手段を備えることを特徴とする請求項１に記載のデータ探索装置。」を、
「
【請求項２】データベースに格納された医療用の画像データを探索するデータ探索装置において、検索用のキーを入力するキー入力部と、入力されたキーに対応するデータベースの画像データを検索する画像データ検索部と、検索された画像データから画像として表示したい画像データを選択する画像データ選択部と、選択された画像データをデータベースから転送する画像データ転送部と、転送された画像データをディスプレイ装置に出力する画像データ出力部と、ディスプレイ装置によって表示された画像の画像データを格納デバイスに格納する画像データ格納部と、を備え、
　前記画像データ選択部は、ディスプレイ装置に表示されている画像に係る画像データが属するスタディに対して、前あるいは後の順位のスタディ内の任意の画像データを選択する第２の選択手段を備えることを特徴とするデータ探索装置。」と訂正する。
（５）明細書の特許請求の範囲の請求項４、すなわち
「【請求項４】  前記画像データ選択部は、あるスタディに含まれる画像データをまとめて選択する選択手段を備えることを特徴とする請求項１に記載のデータ探索装置。」を、
「
【請求項３】データベースに格納された医療用の画像データを探索するデータ探索装置において、検索用のキーを入力するキー入力部と、入力されたキーに対応するデータベースの画像データを検索する画像データ検索部と、検索された画像データから画像として表示したい画像データを選択する画像データ選択部と、選択された画像データをデータベースから転送する画像データ転送部と、転送された画像データをディスプレイ装置に出力する画像データ出力部と、ディスプレイ装置によって表示された画像の画像データを格納デバイスに格納する画像データ格納部と、を備え、
　前記画像データ選択部は、あるスタディに含まれる画像データをまとめて選択する選択手段を備えることを特徴とするデータ探索装置。」と訂正する。
（６）明細書の第１６段落の記載、すなわち
「【００１６】
【課題を解決するための手段】上記目的を達成するため、本発明のデータ探索装置は、請求項１に記載するように、データベースに格納された画像データを探索するデータ探索装置において、検索用のキーを入力するキー入力部と、入力されたキーについてデータベースの画像データを検索する画像データ検索部と、検索された画像データから画像として表示したい画像データを選択する画像データ選択部と、選択された画像データをデータベースから転送する画像データ転送部と、転送された画像データをディスプレイ装置に出力する画像データ出力部と、ディスプレイ装置によって表示された画像の画像データを格納デバイスに格納する画像データ格納部とを備えたものである。」を、
「【００１６】
【課題を解決するための手段】上記目的を達成するため、本発明のデータ探索装置は、請求項１に記載するように、データベースに格納された医療用の画像データを探索するデータ探索装置において、検索用のキーを入力するキー入力部と、入力されたキーについてデータベースの画像データを検索する画像データ検索部と、検索された画像データから画像として表示したい画像データを選択する画像データ選択部と、選択された画像データをデータベースから転送する画像データ転送部と、転送された画像データをディスプレイ装置に出力する画像データ出力部と、ディスプレイ装置によって表示された画像の画像データを格納デバイスに格納する画像データ格納部と
、を備え、前記画像データ選択部は、ディスプレイ装置に表示されている画像に係る画像データに対し、その画像データが属するスタディ内における前あるいは後の順位の画像データを選択する第１の選択手段を備えることを特徴とする
また、本発明のデータ探索装置は、請求項２に記載するように、データベースに格納された医療用の画像データを探索するデータ探索装置において、検索用のキーを入力するキー入力部と、入力されたキーに対応するデータベースの画像データを検索する画像データ検索部と、検索された画像データから画像として表示したい画像データを選択する画像データ選択部と、選択された画像データをデータベースから転送する画像データ転送部と、転送された画像データをディスプレイ装置に出力する画像データ出力部と、ディスプレイ装置によって表示された画像の画像データを格納デバイスに格納する画像データ格納部と、を備え、前記画像データ選択部は、ディスプレイ装置に表示されている画像に係る画像データが属するスタディに対して、前あるいは後の順位のスタディ内の任意の画像データを選択する第２の選択手段を備えることを特徴とするものである。また、本発明のデータ探索装置は、請求項３に記載するように、データベースに格納された医療用の画像データを探索するデータ探索装置において、検索用のキーを入力するキー入力部と、入力されたキーに対応するデータベースの画像データを検索する画像データ検索部と、検索された画像データから画像として表示したい画像データを選択する画像データ選択部と、選択された画像データをデータベースから転送する画像データ転送部と、転送された画像データをディスプレイ装置に出力する画像データ出力部と、ディスプレイ装置によって表示された画像の画像データを格納デバイスに格納する画像データ格納部と、を備え、前記画像データ選択部は、あるスタディに含まれる画像データをまとめて選択する選択手段を備えることを特徴とするものである。
（７）明細書の第１７段落の記載を削除する。
　
２　当審の判断
　これらの訂正事項について検討すると、上記（１）〜（２）の訂正は、請求項を削除する訂正であるから、特許請求の範囲の減縮を目的とするものである。
　また、上記（３）〜（５）の訂正は、データベースに格納された「画像データ」を「医療用の画像データ」に、技術的に限定するものであるから、特許請求の範囲の減縮を目的とするものである。
　さらに、上記（６）〜（７）の訂正は、上記（１）〜（５）の訂正と整合を取るための訂正であるから、明瞭でない記載の釈明を目的とするものである。
　そして、上記各訂正は、願書に添付した明細書又は図面に記載された事項の範囲内のものであって、かつ、実質上特許請求の範囲を拡張し又は変更するものでない。
　よって、上記訂正は、平成６年法律第１１６号改正附則第６条第１項によりなお従前の例によるとされる同法による改正前の特許法第１２６条第１項ないし第２項の規定に適合する。
　次に、訂正後における特許請求の範囲に記載されている事項により構成される発明（以下、「本件訂正発明」という。）が特許出願の際独立して特許を受けることができるものであるか否か（上記改正前の特許法第１７条の２第４項において読み替えて準用する同法第１２６条第３項の規定に適合するか）について検討するに、審判請求人が関連文献として提示する特開昭６４−１８１８９号公報には、本件各訂正発明の要件である、「画像データ選択部がスタディ（複数の検索用のキーのそれぞれについて検索される各画像データ群）内の画像データを選択する手段を備える」点を示唆する記載はないし、該点に係る構成は、当業者が適宜採用し得た程度のものともいえないから、本件各訂正発明は、該特開昭６４−１８１８９号公報に記載された発明に基いて当業者が容易に発明することができたものではない。
　また、他に、本件各訂正発明を特許出願の際独立して特許を受けることができないものであるとすべき理由も発見しない。
　
３　むすび
　したがって、本件審判の請求は、平成６年改正前特許法第１２６条第１項ないし第３項の規定に適合する。
　よって、結論のとおり審決する。